(57)【特許請求の範囲】
【請求項１】
コンピュータに、
ａ）印刷設定に関する複数の設定項目のうちの少なくとも一部の設定項目の設定値群を一のお気に入り設定として予め登録するステップと、
ｂ）前記印刷設定に関する前記複数の設定項目のうちの変更対象項目の設定値に関する変更操作を受け付けるステップと、
ｃ）予め登録された前記一のお気に入り設定を呼び出すための領域である呼出領域であって表示画面内に設けられた呼出領域に、前記一のお気に入り設定に関するアイコンを表示するステップと、
を実行させるプログラムであって、
前記複数の設定項目のうち、前記一のお気に入り設定の登録時の設定値を前記一のお気に入り設定の呼出時の現設定値に反映させない項目である非反映項目に関する前記変更操作が前記ステップｂ）にて受け付けられた場合、前記ステップｃ）において、前記変更対象項目の設定値の変更が反映された前記アイコンが表示されることを特徴とするプログラム。
【請求項２】
請求項１に記載のプログラムにおいて、
前記複数の設定項目のうち、前記一のお気に入り設定の登録時の設定値を前記一のお気に入り設定の呼出時の現設定値に反映させる項目である反映項目が前記ステップｂ）にて前記変更対象項目として変更された場合、前記ステップｃ）にて表示される前記アイコンは、前記反映項目に関しては前記一のお気に入り設定の登録時の設定値が反映された状態のまま表示されることを特徴とするプログラム。
【請求項３】
請求項１または請求項２に記載のプログラムにおいて、
前記非反映項目は、原稿の向き設定、原稿のサイズ設定、印刷出力部数設定、ステープル設定、およびパンチ設定のうちの少なくとも１つの設定項目を含むことを特徴とするプログラム。
【請求項４】
請求項１から請求項３のいずれかに記載のプログラムにおいて、
前記コンピュータに、
ｄ）前記ステップｃ）の後に、前記呼出領域における前記一のお気に入り設定の呼出操作に応じて、前記一のお気に入り設定に関する設定内容を現在の印刷設定内容に反映させるステップ、
をさらに実行させることを特徴とするプログラム。
【請求項５】
請求項１から請求項４のいずれかに記載のプログラムにおいて、
前記コンピュータに、
ｅ）前記ステップｂ）における前記変更操作の前に、前記一のお気に入り設定に関するアイコンを前記呼出領域に表示するステップ、
をさらに実行させ、
前記複数の設定項目のうち前記非反映項目が前記ステップｂ）にて前記変更対象項目として変更された場合、前記ステップｃ）においては、前記ステップｅ）で表示されたアイコンとは異なるアイコンが表示されることを特徴とするプログラム。
【請求項６】
請求項１から請求項５のいずれかに記載のプログラムにおいて、
前記ステップａ）においては、前記複数の設定項目のうちの特定の項目が前記非反映項目として初期的に設定されることを特徴とするプログラム。
【請求項７】
請求項１から請求項６のいずれかに記載のプログラムにおいて、
前記コンピュータに、
ｆ）前記ステップａ）の後、且つ前記ステップｃ）の前において、前記一のお気に入り設定に関する前記非反映項目を設定するステップ、
をさらに実行させることを特徴とするプログラム。
【請求項８】
請求項７に記載のプログラムにおいて、
前記ステップａ）においては、印刷設定画面を用いて、前記一のお気に入り設定に係る設定値群が一括して予め登録され、
前記ステップｆ）においては、前記一のお気に入り設定に関する編集画面であって前記印刷設定画面とは異なる編集画面を用いて前記非反映項目が設定されることを特徴とするプログラム。
【請求項９】
請求項１から請求項７のいずれかに記載のプログラムにおいて、
前記呼出領域は、印刷設定画面内の領域であって、複数のお気に入り設定の中から前記一のお気に入り設定を現在の印刷設定内容として呼び出す領域であることを特徴とするプログラム。
【請求項１０】
請求項１から請求項８のいずれかに記載のプログラムにおいて、
前記呼出領域は、前記印刷設定に関する複数のお気に入り設定にそれぞれ対応する複数のアイコンを有し、
前記ステップｃ）において、前記複数のアイコンのそれぞれは、前記複数の設定項目のうちの前記非反映項目については当該非反映項目の現設定値が反映されて表示されることを特徴とするプログラム。
【請求項１１】
請求項１から請求項８のいずれかに記載のプログラムにおいて、
前記呼出領域は、前記印刷設定に関する登録済みの複数のお気に入り設定の中からユーザの所望のお気に入り設定を呼び出すための表示領域であり、且つ所定数のお気に入り設定の呼出欄を有し、
前記ステップｃ）においては、前記複数のお気に入り設定のうち前記所定数のお気に入り設定に対応する所定数のアイコンについてのみ、アイコンの変更表示処理が実行されることを特徴とするプログラム。
【請求項１２】
請求項１１に記載のプログラムにおいて、
前記複数のお気に入り設定のうち前記所定数のお気に入り設定として選択されるお気に入り設定は、スクロール操作に応じて変更され、
前記ステップｃ）においては、前記複数のお気に入り設定のうち前記スクロール操作に応じて前記呼出領域に表示された前記所定数のお気に入り設定に対応する前記所定数のアイコンについてのみ、アイコンの変更表示処理が実行されることを特徴とするプログラム。
【請求項１３】
印刷制御装置であって、
印刷設定に関する複数の設定項目のうちの少なくとも一部の設定項目の設定値群を一のお気に入り設定として予め登録する登録制御手段と、
前記印刷設定に関する前記複数の設定項目のうちの変更対象項目の設定値に関する変更操作を受け付ける入力制御手段と、
予め登録された前記一のお気に入り設定を呼び出すための領域である呼出領域であって表示画面内に設けられた呼出領域に、前記一のお気に入り設定に関するアイコンを表示する表示制御手段と、
を備え、
前記複数の設定項目のうち、前記一のお気に入り設定の登録時の設定値を前記一のお気に入り設定の呼出時の現設定値に反映させない項目である非反映項目が前記変更対象項目として変更された場合、前記表示制御手段は、前記変更対象項目の設定値の変更が反映された前記アイコンを表示することを特徴とする印刷制御装置。
【請求項１４】
請求項１３に記載の印刷制御装置において、
前記複数の設定項目のうち、前記一のお気に入り設定の登録時の設定値を前記一のお気に入り設定の呼出時の現設定値に反映させる項目である反映項目が前記変更対象項目として変更された場合、前記表示制御手段は、前記アイコンを、前記反映項目に関しては前記一のお気に入り設定の登録時の設定値が反映された状態のままで表示することを特徴とする印刷制御装置。
【請求項１５】
印刷装置であって、
印刷設定に関する複数の設定項目のうちの少なくとも一部の設定項目の設定値群を一のお気に入り設定として予め登録する登録制御手段と、
前記印刷設定に関する前記複数の設定項目のうちの変更対象項目の設定値に関する変更操作を受け付ける入力制御手段と、
予め登録された前記一のお気に入り設定を呼び出すための領域である呼出領域であって表示画面内に設けられた呼出領域に、前記一のお気に入り設定に関するアイコンを表示する表示制御手段と、
を備え、
前記複数の設定項目のうち、前記一のお気に入り設定の登録時の設定値を前記一のお気に入り設定の呼出時の現設定値に反映させない項目である非反映項目が前記変更対象項目として変更された場合、前記表示制御手段は、前記変更対象項目の設定値の変更が反映された前記アイコンを表示することを特徴とする印刷装置。
【請求項１６】
請求項１５に記載の印刷装置において、
前記複数の設定項目のうち、前記一のお気に入り設定の登録時の設定値を前記一のお気に入り設定の呼出時の現設定値に反映させる項目である反映項目が前記変更対象項目として変更された場合、前記表示制御手段は、前記アイコンを、前記反映項目に関しては前記一のお気に入り設定の登録時の設定値が反映された状態のままで表示することを特徴とする印刷装置。
【発明の詳細な説明】
【技術分野】
【０００１】
本発明は、ＭＦＰ（マルチ・ファンクション・ペリフェラル（Multi-Functional Peripheral））などの印刷装置およびそれに関連する技術に関する。
【背景技術】
【０００２】
プリンタドライバにおいて、印刷設定に関する複数の設定項目に関する設定値群（印刷属性設定の組合せ）を「お気に入り設定」として予め一括登録しておき、当該お気に入り設定を印刷設定画面にて呼び出す技術が存在する（特許文献１等参照）。
【０００３】
また、特許文献１においては、「お気に入り設定」に対応するアイコンが印刷設定画面に表示されることが記載されている。当該アイコンは、ユーザが設定変更した設定値（プリンタドライバのデフォルト設定値から変更された設定項目（差分項目）の設定値）に応じたアイコン部品を用いて生成される。ユーザは、アイコンを視認することによって、印刷設定内容の概要を知得することが可能である。
【先行技術文献】
【特許文献】
【０００４】
【特許文献１】特開２００６−３１３４７号公報
【発明の概要】
【発明が解決しようとする課題】
【０００５】
ところで、「お気に入り設定」において、一部の設定項目（設定項目「原稿の向き」等）に関する設定値を当該「お気に入り設定」の呼出後の印刷設定値に反映させるか否か（現設定値への上書きを許可するか否か）を設定することが可能な技術も存在する。たとえば、設定項目「原稿の向き」の設定値が当該「お気に入り設定」の呼出後の印刷設定値に反映されない（現設定値が上書きされない）ように設定される場合、設定項目「原稿の向き」に関しては、「お気に入り設定」の登録時の設定値よりも、「お気に入り設定」の呼出時における現在の設定値が優先的に設定される。
【０００６】
しかしながら、上記特許文献１に記載の技術においては、一旦作成されたアイコンは、固定的に利用され、変更されない。それ故、仮に、複数の設定項目のうちの一部の設定項目（「原稿の向き」等）の設定値が当該「お気に入り設定」の呼出後の印刷設定値に反映されないように設定される技術に対して上記特許文献１に記載の技術を適用すると、次のような問題が生じ得る。具体的には、ユーザが印刷設定画面において当該一部の設定項目の設定値の変更（設定変更操作）を行った後に「お気に入り設定」を呼び出す状況で当該「お気に入り設定」に関するアイコンを視認したとしても、当該「お気に入り設定」に関するアイコンは常に同じである。すなわち、当該一部の設定項目の設定値が設定変更操作によって変更されても当該アイコンは変更されない。したがって、当該アイコンを視認するだけでは、当該お気に入り設定に基づく印刷出力物の仕上がり状態を正確に把握することが困難である。
【０００７】
たとえば、或るお気に入り設定が登録されている状況において、印刷設定画面にて設定項目「原稿の向き」の設定値を「縦」に設定した状態で当該お気に入り設定（他の設定項目に関する設定値（「オートカラー」等）を含む）が呼び出される場合、実際の印刷出力においては縦長の用紙において縦向きの原稿が配置される（図１９参照）。一方、印刷設定画面にて設定項目「原稿の向き」の設定値を「横」に設定した状態で当該お気に入り設定が呼び出される場合、実際の印刷出力においては横長の用紙において横向きの原稿が配置される（図２０参照）。
【０００８】
上記特許文献１に記載の技術では、或るお気に入り設定に関しては、一旦作成された一のアイコンが常に利用される。換言すれば、或るお気に入り設定に関しては、一のアイコンしか表示できない。その結果、アイコンによる表示状態と実際の印刷出力状態との間で不一致が生じ得る。たとえば、図１９のアイコン（「縦」向き原稿を示すアイコン）しか表示できない場合において、横向き原稿設定に基づく印刷出力（図２０参照）がなされるときには、アイコンによる表示状態（「縦向き」）と実際の印刷出力状態（「横向き」）との間で不一致が生じる。また逆に、図２０のアイコン（「横」向き原稿を示すアイコン）しか表示できない場合において、縦向き原稿設定に基づく印刷出力（図１９参照）がなされるときにも、アイコンによる表示状態（「横向き」）と実際の印刷出力状態（「縦向き」）との間で不一致が生じる。このような不一致は、好ましくない。
【０００９】
そこで、この発明は、お気に入り設定に関するアイコンの表示状態を適切に変更することが可能な技術を提供することを課題とする。
【課題を解決するための手段】
【００１０】
上記課題を解決すべく、請求項１の発明は、コンピュータに、ａ）印刷設定に関する複数の設定項目のうちの少なくとも一部の設定項目の設定値群を一のお気に入り設定として予め登録するステップと、ｂ）前記印刷設定に関する前記複数の設定項目のうちの変更対象項目の設定値に関する変更操作を受け付けるステップと、ｃ）予め登録された前記一のお気に入り設定を呼び出すための領域である呼出領域であって表示画面内に設けられた呼出領域に、前記一のお気に入り設定に関するアイコンを表示するステップと、を実行させるプログラムであって、前記複数の設定項目のうち、前記一のお気に入り設定の登録時の設定値を前記一のお気に入り設定の呼出時の現設定値に反映させない項目である非反映項目に関する前記変更操作が前記ステップｂ）にて受け付けられた場合、前記ステップｃ）において、前記変更対象項目の設定値の変更が反映された前記アイコンが表示されることを特徴とする。
【００１１】
請求項２の発明は、請求項１の発明に係るプログラムにおいて、前記複数の設定項目のうち、前記一のお気に入り設定の登録時の設定値を前記一のお気に入り設定の呼出時の現設定値に反映させる項目である反映項目が前記ステップｂ）にて前記変更対象項目として変更された場合、前記ステップｃ）にて表示される前記アイコンは、前記反映項目に関しては前記一のお気に入り設定の登録時の設定値が反映された状態のまま表示されることを特徴とする。
【００１２】
請求項３の発明は、請求項１または請求項２の発明に係るプログラムにおいて、前記非反映項目は、原稿の向き設定、原稿のサイズ設定、印刷出力部数設定、ステープル設定、およびパンチ設定のうちの少なくとも１つの設定項目を含むことを特徴とする。
【００１３】
請求項４の発明は、請求項１から請求項３のいずれかの発明に係るプログラムにおいて、前記コンピュータに、ｄ）前記ステップｃ）の後に、前記呼出領域における前記一のお気に入り設定の呼出操作に応じて、前記一のお気に入り設定に関する設定内容を現在の印刷設定内容に反映させるステップ、をさらに実行させることを特徴とする。
【００１４】
請求項５の発明は、請求項１から請求項４のいずれかの発明に係るプログラムにおいて、前記コンピュータに、ｅ）前記ステップｂ）における前記変更操作の前に、前記一のお気に入り設定に関するアイコンを前記呼出領域に表示するステップ、をさらに実行させ、前記複数の設定項目のうち前記非反映項目が前記ステップｂ）にて前記変更対象項目として変更された場合、前記ステップｃ）においては、前記ステップｅ）で表示されたアイコンとは異なるアイコンが表示されることを特徴とする。
【００１５】
請求項６の発明は、請求項１から請求項５のいずれかの発明に係るプログラムにおいて、前記ステップａ）においては、前記複数の設定項目のうちの特定の項目が前記非反映項目として初期的に設定されることを特徴とする。
【００１６】
請求項７の発明は、請求項１から請求項６のいずれかの発明に係るプログラムにおいて、前記コンピュータに、ｆ）前記ステップａ）の後、且つ前記ステップｃ）の前において、前記一のお気に入り設定に関する前記非反映項目を設定するステップ、をさらに実行させることを特徴とする。
【００１７】
請求項８の発明は、請求項７の発明に係るプログラムにおいて、前記ステップａ）においては、印刷設定画面を用いて、前記一のお気に入り設定に係る設定値群が一括して予め登録され、前記ステップｆ）においては、前記一のお気に入り設定に関する編集画面であって前記印刷設定画面とは異なる編集画面を用いて前記非反映項目が設定されることを特徴とする。
【００１８】
請求項９の発明は、請求項１から請求項７のいずれかの発明に係るプログラムにおいて、前記呼出領域は、印刷設定画面内の領域であって、複数のお気に入り設定の中から前記一のお気に入り設定を現在の印刷設定内容として呼び出す領域であることを特徴とする。
【００１９】
請求項１０の発明は、請求項１から請求項８のいずれかの発明に係るプログラムにおいて、前記呼出領域は、前記印刷設定に関する複数のお気に入り設定にそれぞれ対応する複数のアイコンを有し、前記ステップｃ）において、前記複数のアイコンのそれぞれは、前記複数の設定項目のうちの前記非反映項目については当該非反映項目の現設定値が反映されて表示されることを特徴とする。
【００２０】
請求項１１の発明は、請求項１から請求項８のいずれかの発明に係るプログラムにおいて、前記呼出領域は、前記印刷設定に関する登録済みの複数のお気に入り設定の中からユーザの所望のお気に入り設定を呼び出すための表示領域であり、且つ所定数のお気に入り設定の呼出欄を有し、前記ステップｃ）においては、前記複数のお気に入り設定のうち前記所定数のお気に入り設定に対応する所定数のアイコンについてのみ、アイコンの変更表示処理が実行されることを特徴とする。
【００２１】
請求項１２の発明は、請求項１１の発明に係るプログラムにおいて、前記複数のお気に入り設定のうち前記所定数のお気に入り設定として選択されるお気に入り設定は、スクロール操作に応じて変更され、前記ステップｃ）においては、前記複数のお気に入り設定のうち前記スクロール操作に応じて前記呼出領域に表示された前記所定数のお気に入り設定に対応する前記所定数のアイコンについてのみ、アイコンの変更表示処理が実行されることを特徴とする。
【００２２】
請求項１３の発明は、印刷制御装置であって、印刷設定に関する複数の設定項目のうちの少なくとも一部の設定項目の設定値群を一のお気に入り設定として予め登録する登録制御手段と、前記印刷設定に関する前記複数の設定項目のうちの変更対象項目の設定値に関する変更操作を受け付ける入力制御手段と、予め登録された前記一のお気に入り設定を呼び出すための領域である呼出領域であって表示画面内に設けられた呼出領域に、前記一のお気に入り設定に関するアイコンを表示する表示制御手段と、を備え、前記複数の設定項目のうち、前記一のお気に入り設定の登録時の設定値を前記一のお気に入り設定の呼出時の現設定値に反映させない項目である非反映項目が前記変更対象項目として変更された場合、前記表示制御手段は、前記変更対象項目の設定値の変更が反映された前記アイコンを表示することを特徴とする。
【００２３】
請求項１４の発明は、請求項１３の発明に係る印刷制御装置において、前記複数の設定項目のうち、前記一のお気に入り設定の登録時の設定値を前記一のお気に入り設定の呼出時の現設定値に反映させる項目である反映項目が前記変更対象項目として変更された場合、前記表示制御手段は、前記アイコンを、前記反映項目に関しては前記一のお気に入り設定の登録時の設定値が反映された状態のままで表示することを特徴とする。
【００２４】
請求項１５の発明は、印刷装置であって、印刷設定に関する複数の設定項目のうちの少なくとも一部の設定項目の設定値群を一のお気に入り設定として予め登録する登録制御手段と、前記印刷設定に関する前記複数の設定項目のうちの変更対象項目の設定値に関する変更操作を受け付ける入力制御手段と、予め登録された前記一のお気に入り設定を呼び出すための領域である呼出領域であって表示画面内に設けられた呼出領域に、前記一のお気に入り設定に関するアイコンを表示する表示制御手段と、を備え、前記複数の設定項目のうち、前記一のお気に入り設定の登録時の設定値を前記一のお気に入り設定の呼出時の現設定値に反映させない項目である非反映項目が前記変更対象項目として変更された場合、前記表示制御手段は、前記変更対象項目の設定値の変更が反映された前記アイコンを表示することを特徴とする。
【００２５】
請求項１６の発明は、請求項１５の発明に係る印刷装置において、前記複数の設定項目のうち、前記一のお気に入り設定の登録時の設定値を前記一のお気に入り設定の呼出時の現設定値に反映させる項目である反映項目が前記変更対象項目として変更された場合、前記表示制御手段は、前記アイコンを、前記反映項目に関しては前記一のお気に入り設定の登録時の設定値が反映された状態のままで表示することを特徴とする。
【発明の効果】
【００２６】
請求項１から請求項１６に記載の発明によれば、お気に入り設定に関するアイコンの表示状態を適切に変更することが可能である。
【００２７】
特に、請求項２に記載の発明によれば、お気に入り設定に関する印刷出力状態を正確且つ容易に把握することが可能である。
【図面の簡単な説明】
【００２８】
【図１】印刷システムの構成を示す概略図である。
【図２】ＭＦＰの機能ブロックを示す図である。
【図３】印刷制御装置の概略構成を示す機能ブロック図である。
【図４】印刷設定画面を示す図である。
【図５】図４の印刷設定画面内の呼出領域を拡大して示す図である。
【図６】設定変更操作後且つ追加登録ボタン押下後に表示される印刷設定画面を示す図である。
【図７】図６の印刷設定画面内の呼出領域を拡大して示す図である。
【図８】お気に入り設定に関する編集画面を示す図である。
【図９】お気に入り設定の登録内容を示すデータテーブルである。
【図１０】お気に入り設定の追加登録動作を示すフローチャートである。
【図１１】お気に入り設定の一部修正動作を示すフローチャートである。
【図１２】印刷設定動作を示すフローチャートである。
【図１３】図１２の一部の動作を示すフローチャートである。
【図１４】編集画面にて「原稿の向き」等が反映項目に変更された状態を示す図である。
【図１５】呼出領域でスクロール操作が行われた後の印刷設定画面を示す図である。
【図１６】図１５の印刷設定画面内の呼出領域を拡大して示す図である。
【図１７】一部の設定値が変更された後の印刷設定画面を示す図である。
【図１８】図１７の印刷設定画面内の呼出領域を拡大して示す図である。
【図１９】「縦」向きの「原稿の向き」に対応するアイコンを示す図である。
【図２０】「横」向きの「原稿の向き」に対応するアイコンを示す図である。
【図２１】「部数」の設定変更に応じたアイコン変更を示す図である。
【図２２】「原稿のサイズ」の設定変更に応じたアイコン変更を示す図である。
【図２３】「パンチ」の設定変更に応じたアイコン変更を示す図である。
【図２４】「ステープル」の設定変更に応じたアイコン変更を示す図である。
【発明を実施するための形態】
【００２９】
以下、本発明の実施形態を図面に基づいて説明する。
【００３０】
＜１．システム構成＞
図１は、本発明に係る印刷システム１の構成を示す概略図である。図１に示すように、当該印刷システム１は、マルチ・ファンクション・ペリフェラル（Multi-Functional Peripheral）（ＭＦＰとも略称する）１０とコンピュータ５０とを備える。
【００３１】
ＭＦＰ１０とコンピュータ５０とは、ネットワーク１０８を介して接続されており、各装置１０，５０の相互間でデータの送受信が可能である。なお、ネットワーク１０８は、ＬＡＮ（Local Area Network）およびインターネットなどの各種のネットワークを含む。
【００３２】
ＭＦＰ１０は、コンピュータ５０からの印刷ジョブデータ（プリントジョブデータ）に基づく印刷ジョブ（プリントジョブ）を実行するプリンタ（印刷装置）として機能する。
【００３３】
具体的には、コンピュータ５０（印刷制御装置）は、当該コンピュータ５０にインストールされている印刷制御プログラム（プリンタドライバ等）において印刷設定画面２００（図４等）を表示する。そして、コンピュータ５０は、当該印刷設定画面２００において各設定項目に関する設定値の変更操作を利用者（ユーザ）から受け付ける。その後、コンピュータ５０は、設定完了操作（たとえば、設定完了ボタン（設定保存ボタン）２９１（図４）の押下操作）をユーザから受け付けるとともに、印刷実行指示（たとえば、印刷開始ボタン（不図示）の押下操作）をユーザから受け付ける。
【００３４】
当該印刷実行指示に応答して、コンピュータ５０は、印刷ジョブデータ（印刷実行指令および印刷対象データ）をＭＦＰ１０に対して送信する。ＭＦＰ１０は、コンピュータ５０から送信されてきた印刷ジョブデータを受信し、当該印刷ジョブデータに基づく印刷ジョブを実行する。これによって、ＭＦＰ１０による印刷出力処理が実行される。
【００３５】
＜２．ＭＦＰ１０の構成＞
図２は、ＭＦＰ１０の機能ブロックを示す図である。
【００３６】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６およびコントローラ９（制御部）等を備えており、これらの各部を複合的に動作させることによって、各種の機能を実現する。なお、ＭＦＰ１０は、画像処理装置、画像形成装置あるいは印刷出力装置などとも称される。
【００３７】
画像読取部（スキャン部とも称される）２は、ＭＦＰ１０の所定の位置に載置された原稿を光学的に読み取って、当該原稿の画像データ（原稿画像あるいはスキャン画像とも称される）を生成する処理部である。
【００３８】
印刷出力部３は、印刷対象画像に関する画像データに基づいて紙などの各種の媒体に画像を印刷出力する出力部である。
【００３９】
通信部４は、公衆回線等を介したファクシミリ通信を行うことが可能な処理部である。さらに、通信部４は、通信ネットワーク１０８を介したネットワーク通信が可能である。このネットワーク通信では、ＴＣＰ／ＩＰ（Transmission Control Protocol / Internet Protocol）およびＦＴＰ（File Transfer Protocol）等の各種のプロトコルが利用され、当該ネットワーク通信を利用することによって、ＭＦＰ１０は、所望の相手先（コンピュータ５０等）との間で各種のデータ（印刷ジョブデータ等）を授受することが可能である。
【００４０】
格納部５は、ハードディスクドライブ（ＨＤＤ）等の格納装置で構成される。
【００４１】
操作部６は、ＭＦＰ１０に対する操作入力を受け付ける操作入力部６ａと、各種情報の表示出力を行う表示部６ｂとを備えている。このＭＦＰ１０においては、略板状の操作パネル部６ｃ（図１参照）が設けられており、当該操作パネル部６ｃは、その正面側にタッチパネル（操作パネル）２５（図１参照）を有している。タッチパネル２５は、液晶表示パネルに圧電センサ等が埋め込まれて構成され、各種情報を表示するとともに操作者からの操作入力を受け付けることが可能である。
【００４２】
コントローラ（制御部）９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ等）とを備えるコンピュータシステムとして構成される。コントローラ９は、ＣＰＵにおいて、ＲＯＭ（例えば、ＥＥＰＲＯＭ（登録商標））内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体から読み出されてＭＦＰ１０にインストールされるようにしてもよい。あるいは、当該プログラムは、ネットワーク等を経由してダウンロードされてＭＦＰ１０にインストールされるようにしてもよい。
【００４３】
具体的には、図２に示すように、コントローラ９は、当該プログラムの実行により、通信制御部１１と入力制御部１２と表示制御部１３と動作制御部１４とを含む各種の処理部を実現する。
【００４４】
通信制御部１１は、他の装置（コンピュータ５０等）との間の通信動作を制御する処理部である。
【００４５】
入力制御部１２は、操作入力部６ａに対する操作入力動作を制御する制御部である。
【００４６】
表示制御部１３は、表示部６ｂにおける表示動作を制御する処理部である。
【００４７】
動作制御部１４は、コンピュータ５０（印刷制御装置）から送信されてきたプリントジョブ等に関する動作（印刷出力動作等）を制御する処理部である。
【００４８】
＜３．コンピュータ５０の構成＞
図３は、コンピュータ５０（印刷制御装置）の概略構成を示す機能ブロック図である。コンピュータ５０は、いわゆるパーソナルコンピュータ等によって構成される。コンピュータ５０は、ＭＦＰ１０の利用者（ユーザ）によって利用されるコンピュータ（利用者用のコンピュータ）である。
【００４９】
コンピュータ５０は、図３の機能ブロック図に示すように、通信部５４、格納部５５、操作部５６およびコントローラ（制御部）５９等を備えており、これらの各部を複合的に動作させることによって、各種の機能を実現する。
【００５０】
通信部５４は、ネットワークを介したネットワーク通信を行うことが可能である。このネットワーク通信では、たとえば、ＴＣＰ／ＩＰ（Transmission Control Protocol / Internet Protocol）等の各種のプロトコルが利用される。当該ネットワーク通信を利用することによって、コンピュータ５０は、所望の相手先（ＭＦＰ１０等）との間で各種データの授受を行うことが可能である。通信部５４は、各種データを送信する送信部５４ａと各種データを受信する受信部５４ｂとを有する。
【００５１】
格納部５５は、ハードディスクドライブ（ＨＤＤ）および／または半導体メモリ等の記憶装置で構成される。
【００５２】
操作部５６は、コンピュータ５０に対する操作入力を受け付ける操作入力部５６ａと、各種情報の表示出力を行う表示部５６ｂとを備えている。
【００５３】
図３のコントローラ（制御部）５９は、コンピュータ５０に内蔵され、コンピュータ５０を統括的に制御する制御装置である。コントローラ５９は、ＣＰＵおよび各種の半導体メモリ（ＲＡＭおよびＲＯＭ）等を備えるコンピュータシステムとして構成される。コントローラ５９は、ＣＰＵにおいて、記憶部（半導体メモリ等）内に格納されている所定のプログラムを実行することによって、各種の処理部を実現する。なお、当該プログラム（詳細にはプログラムモジュール群）は、ＵＳＢメモリなどの可搬性の記録媒体に記録され、当該記録媒体から読み出されてコンピュータ５０にインストールされてもよい。あるいは、当該プログラムは、ネットワーク１０８等を経由してダウンロードされてコンピュータ５０にインストールされるようにしてもよい。
【００５４】
コンピュータ５０には、印刷制御プログラム（プリンタドライバ等）がインストールされている。コンピュータ５０は、当該プログラムを用いることによって、印刷ジョブ等の各種設定項目に関する設定制御等を含む印刷制御動作を実行する印刷制御装置として機能する。
【００５５】
具体的には、コントローラ５９は、当該プログラム等の実行により、通信制御部６１と入力制御部６２と表示制御部６３と登録制御部６４と取得部６５と決定部６６とアイコン生成部６７とを含む各種の処理部を実現する。
【００５６】
通信制御部６１は、通信部５４等と協働して、ＭＦＰ１０等との通信動作を制御する処理部である。たとえば、通信制御部６１は、通信部５４等と協働して、印刷ジョブデータをＭＦＰ１０に送信する動作等を制御する。
【００５７】
入力制御部６２は、ユーザによる操作入力を操作入力部５６ａと協働して受け付ける動作（操作入力動作）等を制御する制御部である。たとえば、入力制御部６２は、操作入力部５６ａと協働して、印刷設定画面２００（図４等）において、印刷設定に関する複数の設定項目の各設定値に関する変更操作（マウスおよび／またはキーボード等を用いた変更操作）をユーザから受け付ける。
【００５８】
表示制御部６３は、表示部５６ｂにおける各種情報（印刷設定画面等）の表示動作を制御する処理部である。表示制御部６３は、印刷設定画面２００等を表示部５６ｂに表示する動作等を制御する。後述するように、印刷設定画面２００は、印刷設定に関する「お気に入り設定」として予め一括登録された設定値群を呼び出すための呼出領域５１０（図４等参照）を有している。また、当該呼出領域５１０には、各「お気に入り設定」に関する各アイコン（各印刷設定の内容（概要）を示すアイコン）が、各「お気に入り設定」の設定値群等に基づいて生成されて表示される。表示制御部６３は、各アイコンの表示動作をも制御する。
【００５９】
登録制御部６４は、印刷設定に関する複数の設定項目のうちの少なくとも一部の設定項目に関する設定値群を一のお気に入り設定として予め登録する処理部である。
【００６０】
取得部６５は、印刷設定に関する複数の設定項目に関する現在の設定値を取得する処理部である。
【００６１】
決定部６６は、印刷設定画面２００内の各設定項目に関する設定変更操作等に応じて、呼出領域５１０内の各アイコンを変更するか否かを決定する処理部である。決定部６６は、非反映項目（後述）に関してお気に入り設定の登録時の設定値と現在の設定値とが同一であるか否か等に基づいて、各アイコンを変更するか否かを決定する。決定部６６は、反映項目（後述）の設定値に応じたアイコン変更を行わない。
【００６２】
アイコン生成部６７は、各お気に入り設定に対応する各アイコンを当該各お気に入り設定の設定値群等に基づいて生成する処理部である。アイコン生成部６７は、決定部６６の決定内容等に基づいてアイコンを生成する。
【００６３】
＜４．印刷設定画面２００＞
図４は、印刷設定画面（ＭＦＰ１０に関する印刷設定用のプロパティ画面）２００の一例を示す図である。図４に示すように、この印刷設定画面２００には、設定操作領域３００が設けられている。設定操作領域３００には、「Ｍｙタブ（マイタブ）」、「基本設定」、「レイアウト」、「仕上げ」、「カバーシート／挿入紙」、「スタンプ／ページ印字」、「画像品質」などの複数のタブにそれぞれ対応する複数の設定画面が切換表示される。印刷設定画面２００内の上部の対応タブをマウスでクリックすることなどによって、各設定画面は表示部５６ｂ（詳細には印刷設定画面２００）において選択的に表示される。各設定画面は、「タブ画面」あるいは「サブ設定画面」とも称される。このように、切換表示可能な複数の設定画面（タブ画面）の中から選択された所望の設定画面が表示される。そして、当該所望の設定画面内の表示項目に関するユーザ設定操作が行われる。
【００６４】
これらの複数の設定画面のうち、「Ｍｙタブ」以外の設定画面（「基本設定」、「レイアウト」、「仕上げ」、「カバーシート／挿入紙」、「スタンプ／ページ印字」、「画像品質」、「その他」）は、プリンタドライバにおいて予め準備されている設定画面であり、所定の基準に従って分類された所定の設定項目をそれぞれ有している規定の設定画面（規定設定画面）である。これらのタブ画面（「Ｍｙタブ」以外の設定画面）は、それぞれ、所定の基準に従って分類された所定の設定項目（原則として固定された設定項目）を有することから、「固定タブ」画面とも称される。
【００６５】
一方、「Ｍｙタブ」に対応するタブ画面（「Ｍｙタブ」画面とも称する）２３０（図４参照）は、ユーザによるカスタマイズが可能な設定画面であり、ユーザによってカスタマイズされた所望の設定項目を配置することが可能な設定画面（「カスタマイズ画面」とも称される）である。「Ｍｙタブ」画面２３０においては、複数のタブ画面の複数の設定項目の中から、ユーザが１又は複数の所望の設定項目を選択（登録）し、選択（登録）された設定項目（「被選択項目」とも称される）が１つの設定画面に集約して配置される。「Ｍｙタブ」画面２３０は、ユーザが頻繁に使用する１又は複数の設定項目が集約された設定画面である。１つの設定画面「Ｍｙタブ」を主に用いることによれば、ユーザは、複数のタブの切換による複数の設定画面の相互間の往来操作を伴うことなく、複数の設定項目を比較的簡易な操作で設定することが可能である。
【００６６】
以下では、主に「Ｍｙタブ」画面２３０を用いて、印刷設定等が行われる場合について説明する。なお、他の固定タブ画面等を用いて印刷設定が適宜行われてもよい。
【００６７】
「Ｍｙタブ」画面２３０には、印刷設定に関する全設定項目のうちの一部の設定項目（具体的には、「部数（印刷出力部数）」、「カラー選択」、「印刷種別」、「原稿の向き」、「原稿サイズ」、「用紙サイズ」、「給紙トレイ」、「用紙種類」、「出力方法」、「ページ割付」、「ステープル」、および「パンチ」）の各設定欄３１１〜３２２が設けられている。
【００６８】
設定項目「部数（印刷出力部数）」の設定欄３１１には、部数を指定する数値が設定値として設定される。設定項目「カラー選択」の設定欄３１２には、複数の選択肢（「オートカラー」、「グレースケール」、および「２色」）のうちのいずれかの設定値が設定される。設定項目「印刷種類」の設定欄３１３には、複数の選択肢（「片面」、「両面」、および「小冊子」）のうちのいずれかの設定値が設定される。設定項目「原稿の向き」の設定欄３１４には、複数の選択肢（「縦（縦向き）」、および「横（横向き）」）のうちのいずれかの設定値が設定される。設定項目「原稿サイズ」の設定欄３１５には、複数の選択肢（「Ａ４」、「Ａ３」、および「Ａ５」等）のうちのいずれかの設定値が設定される。設定項目「用紙サイズ」の設定欄３１６には、複数の選択肢（「原稿サイズと同じ」、「Ａ４」、「Ａ３」、および「Ａ５」等）のうちのいずれかの設定値が設定される。
【００６９】
また、設定項目「給紙トレイ」の設定欄３１７には、複数の選択肢（「自動」、「給紙トレイ１」、「給紙トレイ２」、および「給紙トレイ３」等）のうちのいずれかの設定値が設定される。設定項目「用紙種類」の設定欄３１８には、複数の選択肢（「普通紙」、「厚紙」、および「ＯＨＰ」等）のうちのいずれかの設定値が設定される。設定項目「出力方法」の設定欄３１９には、複数の選択肢（「通常印刷」、「セキュリティ印刷」、および「ボックス保存」等）のうちのいずれかの設定値が設定される。設定項目「ページ割付」の設定欄３２０には、複数の選択肢（「オフ」、「２ｉｎ１」、および「４ｉｎ１」等）のうちのいずれかの設定値が設定される。設定項目「ステープル」の設定欄３２１には、複数の選択肢（「オフ」、「左コーナー（１箇所）」、および「左サイド（２箇所）」等）のうちのいずれかの設定値が設定される。設定項目「パンチ」の設定欄３２２には、複数の選択肢（「オフ」、「左（２孔）」、および「上（２孔）」等）のうちのいずれかの設定値が設定される。
【００７０】
ユーザは、「Ｍｙタブ」画面２３０内の上記設定欄３１１〜３２２および他のタブ画面内の設定欄を利用することによって、印刷設定に関する現在の設定値を変更することが可能である。なお、印刷設定画面２００内の用紙ビュー領域４００には、現在の設定値に基づく印刷出力結果が模式的に表示される。
【００７１】
また、印刷設定画面２００は、「お気に入り設定」（次述）に関するお気に入り領域５００をも有している。なお、お気に入り領域５００は、後述するように、「お気に入り設定」の呼出機能、登録機能および編集機能等を有している。
【００７２】
「お気に入り設定」は、印刷設定の複数の設定項目に関して予め一括登録された設定値群（印刷属性設定の組合せ）である。プリンタドライバにおいて、１又は複数の「お気に入り設定」を予め登録しておき、所望の「お気に入り設定」を呼び出すことによって、様々な設定項目に関する設定値を一括して設定することが可能である。これによれば、ユーザは、所望の設定値の組合せを容易に実現することが可能である。なお、「お気に入り設定」は、必ずしもユーザ自身によって登録されたものであることを要さず、管理者等によって登録されたものであってもよい。また、「お気に入り設定」は、プリンタドライバ自身に初期的に登録されているもの（初期状態で既に登録されているもの）であってもよい。
【００７３】
お気に入り領域５００は、呼出領域５１０（呼出対象のお気に入り設定の名称等が表示される領域）を有している。呼出領域５１０は、登録済みの複数のお気に入り設定の中から一のお気に入り設定（ユーザの所望のお気に入り設定）を現在の印刷設定内容として呼び出すための表示領域である、とも表現される。当該表示領域（呼出領域とも称する）５１０は、所定数（ここでは４個）のお気に入り設定の呼出欄（ここでは４個の呼出欄Ｒ１〜Ｒ４）を有している。所望のお気に入り設定を表示している呼出欄をユーザが押下することによって、当該所望のお気に入り設定が呼び出される。
【００７４】
次に、「お気に入り設定」の登録動作等について説明する。
【００７５】
＜５．「お気に入り設定」の登録動作＞
ユーザは、印刷設定画面２００内のお気に入り領域５００の追加登録ボタン（「＋」ボタン）５９１（図４等参照）を押下することによって、印刷設定画面２００（特に、設定操作領域３００）を用いて変更された現在の設定値に基づいて、「お気に入り設定」を追加登録することが可能である。この追加登録動作について図１０等を参照しつつ説明する。図１０は、お気に入り設定の登録動作（追加登録動作）を示すフローチャートである。
【００７６】
ここでは、「Ｎｏ．１」〜「Ｎｏ．４」の４つのお気に入り設定（図９参照）が既に登録されており、５つ目のお気に入り設定（「Ｎｏ．５」）が登録される動作等について説明する。図９は、お気に入り設定の登録内容を示すデータテーブル８００である。「Ｎｏ．５」以後のお気に入り設定に関する情報は、未だ存在しないものとする。
【００７７】
図１０のステップＳ１１において印刷設定画面２００が表示され、当該印刷設定画面２００を用いた印刷設定操作（設定値の変更操作）が適宜行われた後、ステップＳ１２で追加登録ボタン５９１（図４参照）が押下された旨が判定されると、ステップＳ１３に進む。ここでは、各設定項目がデフォルト値（標準値）に設定されている状態を有する印刷設定画面２００（図４）から、２つの設定項目に関してデフォルト値から別の値へと設定値が変更された状態を有する印刷設定画面２００（図６）へと遷移し、追加登録ボタン５９１が押下されたものとする。具体的には、設定項目「印刷種類」の設定値がデフォルト値「両面」から別の値「片面」（現在値）に変更され、設定項目「原稿の向き」の設定値がデフォルト値「縦」から別の値「横」（現在値）に変更されているものとする。
【００７８】
ステップＳ１３〜Ｓ１６では、コンピュータ５０（ここではプリンタドライバ）は、現在の設定値群等に基づき新たな「お気に入り設定」を新規作成する。
【００７９】
ここにおいて、「お気に入り設定」においては、印刷設定に関する複数の設定項目のうち、お気に入り設定時に登録された設定値を当該お気に入り設定の呼出時に反映させない（新たな設定値として上書きしない）項目（非反映項目あるいは非上書き項目とも称する）が存在し得る。当該非反映項目は、お気に入り設定にて登録された設定値群に関する複数の設定項目のうち、お気に入り設定呼出時に呼び出さない項目（非呼出項目）などとも表現される。このように、「お気に入り設定」が（全体として）呼び出される場合であっても印刷設定に関する複数の設定項目のうちの一部の設定項目の設定値は、呼び出されないように設定され得る。
【００８０】
たとえば、ユーザは、印刷設定画面２００とは異なる編集画面７００（後述）（図８）を用いて、「原稿の向き」等を「非反映項目」に設定することが可能である。より具体的には、編集画面７００の反映設定変更領域７３０内に対象項目ごとに設けられたスライドスイッチ（７３１〜７３３）を「オフ」に設定することによって、当該対象項目を「非反映項目」（お気に入り設定呼出時に呼び出さない項目（現設定値に上書きしない項目））に設定することが可能である。逆に、当該対象項目のスライドスイッチ（７３１等）を「オン」に設定する（図１４参照）ことによって、当該対象項目を「反映項目」（印刷設定に関する複数の設定項目のうち、お気に入り設定時に登録された設定値を当該お気に入り設定の呼出時に反映させる項目）に設定することが可能である。なお、「反映項目」は、お気に入り設定呼出時に呼び出す項目（新たな設定値として現設定値に上書きする項目）であり、呼出項目あるいは上書き項目などとも表現される。
【００８１】
図８では、「原稿の向き」、「原稿サイズ」、「部数（印刷出力部数）」等が「非反映項目」として設定され得る様子が示されている。「非反映項目」として設定され得る項目を、「非反映設定可能項目」（あるいは、「呼出切換可能項目」（呼び出されるか否かを切り換えることが可能な項目））とも称する。この実施形態では、「原稿の向き」、「原稿サイズ」、「部数（印刷出力部数）」の各設定項目のスライドスイッチの初期値は、いずれも「オフ」に設定される。換言すれば、「原稿の向き」、「原稿サイズ」、「部数（印刷出力部数）」の各設定項目は、初期的に「非反映項目」に設定される。なお、お気に入り設定における「非反映項目」の設定値は、当該お気に入り設定にて無効な値として取り扱われる値である、とも表現される。
【００８２】
ステップＳ１３では、プリンタドライバは、データテーブル８００（図９）において、新たな「お気に入り設定」のデータレコード（「Ｎｏ．５」のデータレコード）を新規作成し、当該データレコード（新規データレコード）において、印刷設定に関する少なくとも一部（ここでは全て）の設定項目に関する現在の設定値群を保存する。たとえば、設定項目「原稿の向き」には設定値「横」が設定され、設定項目「印刷種類」には設定値「片面」が設定される。また、設定項目「ページ割り付け」には設定値「オフ」が設定され、設定項目「カラー選択」には設定値「オートカラー」が設定される。他の項目においても、設定操作領域３００における現在の設定値が保存される。ただし、後述するように、「非反映設定可能項目」（「原稿の向き」、「原稿サイズ」、「部数（印刷出力部数）」等）は、いずれも「非反映項目」として設定される（ステップＳ１６）。なお、ここでは、「非反映項目」の設定値は、データテーブル８００内に一旦格納されるものの、当該お気に入り設定が呼び出された時点での現在の設定値に反映されない（上書きされない）ので、結果的には利用されない。
【００８３】
ステップＳ１４では、プリンタドライバは、用紙ビュー領域４００の画像をアイコン化して当該新規データレコードに関連付けて保存する。換言すれば、印刷設定画面２００における現在の設定値群が反映された画像が、お気に入り設定のアイコンとして初期的に登録される。当該アイコンは、ステップＳ１７（後述）等において利用される。
【００８４】
ステップＳ１５では、プリンタドライバは、当該新たな「お気に入り設定」の名称とコメントとを自動生成して、データテーブル８００に格納する。たとえば、「Ｎｏ．５」のデータレコードの「名称」として「User Setting1」が自動生成されて格納され、「Ｎｏ．５」のデータレコードの「コメント」として「Comment1」が自動生成されて格納される。なお、後述するように、ユーザは、「名称」および「コメント」を編集画面７００（図８）を用いて編集することが可能である。
【００８５】
ステップＳ１６では、プリンタドライバは、「非反映設定可能項目」（「原稿の向き」、「原稿サイズ」、「部数（印刷出力部数）」等）をいずれも「非反映項目」に初期的に設定する。具体的には、「Ｎｏ．５」のデータレコードの各「非反映設定可能項目」に関する「呼出設定値」（反映／非反映（換言すれば、呼出／非呼出）を決定するためのフラグ値）を、デフォルト値である「オフ」（非反映）に設定する。
【００８６】
ステップＳ１７では、生成された当該新たな「お気に入り設定」（Ｎｏ．５）に関する情報を呼出領域５１０内の最下段の呼出欄Ｒ４（図６および図７参照）に表示する。また、それまで領域Ｒ２〜Ｒ４に表示されていたお気に入り設定（Ｎｏ．２〜Ｎｏ．４）が、領域Ｒ１〜Ｒ３に繰り上げられて表示される。図６は、追加登録ボタン５９１の押下直後の印刷設定画面２００の表示内容を示す図であり、図７は、図６の印刷設定画面２００内の呼出領域５１０を拡大して示す図である。
【００８７】
図６および図７に示されるように、当該呼出欄Ｒ４には、当該新たな「お気に入り設定」の名称およびコメントが表示される。また、当該呼出欄Ｒ４の左端側には、当該新たな「お気に入り設定」の設定内容に応じたアイコン５３５（ステップＳ１４で生成されたアイコン）が表示される。ユーザは、当該アイコンを視認することによって、当該お気に入り設定の設定内容を容易に且つ直感的に確認することが可能である。
【００８８】
なお、同様の動作を実行することによって、ユーザは、更に新たな「お気に入り設定」（「Ｎｏ．６」のデータレコード）（図９参照）を生成することも可能である。より詳細には、ユーザは、印刷設定画面２００内の「標準に戻す」ボタン２８１（図６等参照）を押下して各設定値をデフォルト値（標準値）に戻した後に、設定項目「カラー選択」の設定欄３１２にて「グレースケール」を設定し且つ設定項目「ページ割付」の設定欄３２０にて「４ｉｎ１」を設定する。その後、追加登録ボタン５９１の押下に応答して、「Ｎｏ．６」の「お気に入り設定」が生成される。
【００８９】
＜６．「お気に入り設定」の一部修正動作＞
ユーザは、登録されている既存のお気に入り設定に関する情報（詳細にはその一部）を、編集画面７００（図８）を利用して修正することが可能である。具体的には、印刷設定画面２００内のお気に入り領域５００の修正ボタン（歯車型ボタン）５９２（図４等参照）を押下することによって、編集画面７００をポップアップ表示させ、当該編集画面７００を用いて、各お気に入り設定の「名称」、「コメント」および「呼出設定値」を変更することが可能である。このような修正動作について図１１等を参照しつつ説明する。なお、この修正動作は、必要に応じて行われればよい。たとえば、「Ｎｏ．６」の「お気に入り設定」等に対しては行われず、「Ｎｏ．５」の「お気に入り設定」に対してのみ行われてもよい。
【００９０】
図１１は、お気に入り設定の修正動作（一部修正動作）を示すフローチャートである。
【００９１】
ステップＳ２１において印刷設定画面２００が表示された後、ステップＳ２２で修正ボタン５９２が押下された旨が判定されると、ステップＳ２３に進む。
【００９２】
ステップＳ２３では、図８に示すような編集画面７００が表示される。
【００９３】
編集画面７００は、お気に入り設定の一覧領域７１０と名称設定欄７２１とコメント設定欄７２２と非反映項目設定欄７３０とを備えている。
【００９４】
一覧領域７１０には、登録済みのお気に入り設定（ここでは６個のお気に入り設定７１１〜７１６）が列挙されている。ユーザは、修正対象の「お気に入り設定」を選択すると、当該選択された「お気に入り設定」に関する設定情報が各欄７２１，７２２，７３０に表示される。たとえば、一覧領域７１０において「Ｎｏ．５」の「お気に入り設定」（「User setting1」）７１５が選択されると、図８に示されるように、当該「Ｎｏ．５」の「お気に入り設定」７１５に関する情報が各欄７２１，７２２，７３０に表示される。
【００９５】
ユーザは、名称設定欄７２１（および／またはコメント設定欄７２２）の情報を直接的に編集することによって、当該「Ｎｏ．５」のお気に入り設定の「名称」（および／または「コメント」）を変更することが可能である。また、非反映項目設定欄７３０内のスライドスイッチ７３１を「オフ」（デフォルト値）から「オン」へと変更することによって、当該「Ｎｏ．５」のお気に入り設定の「原稿の向き」（および「原稿サイズ」）を非反映項目から反映項目へと変更することが可能である。逆に、スライドスイッチ７３１を「オン」から「オフ」へと変更することによって、「原稿の向き」（および「原稿サイズ」）を非反映項目に戻すことが可能である。同様に、非反映項目設定欄７３０内のスライドスイッチ７３２の変更に応じて、当該「Ｎｏ．５」のお気に入り設定の「部数（印刷出力部数）」を非反映項目から反映項目へと（あるいは逆に反映項目から非反映項目へと）変更することが可能である。また、スライドスイッチ７３３の同様の操作によって、当該「Ｎｏ．５」のお気に入り設定の「ウォーターマークのリスト情報」を非反映項目から反映項目へと（あるいは逆に反映項目から非反映項目へと）変更することも可能である。各種の修正操作の後にＯＫボタン７９１が押下されると、修正内容が確定される。
【００９６】
ステップＳ２４において設定内容の変更の有無が判定され、設定内容が変更されていることが判定されると、ステップＳ２５に進む。それ以外の場合には、ステップＳ２５には進まずにステップＳ２６に進む。
【００９７】
ステップＳ２５では、ステップＳ２４での設定内容が暫定的に変更される（変更後の設定内容が仮保存される）。
【００９８】
さらにステップＳ２６にてＯＫボタン７９１の押下の有無が判定される。ＯＫボタン７９１の押下が検出されるまでは、ステップＳ２４に戻る。一方、ＯＫボタン７９１の押下が検出されると、ステップＳ２７に進む。
【００９９】
ステップＳ２７では、ステップＳ２４での設定変更内容が確定され、変更後の設定内容（変更結果）がデータテーブル８００（図９）に保存される。たとえば、非反映項目設定欄７３０内のスライドスイッチ７３１が「オン」に変更された後にＯＫボタン７９１（図８）が押下されると、データテーブル８００内の当該「Ｎｏ．５」のお気に入り設定の設定項目「原稿の向き」に関する「呼出設定値」が「オン」に変更されて保存される。これによって、「原稿の向き」が非反映項目から反映項目へと変更される。また、ＯＫボタン７９１の押下に応じて編集画面７００が閉じられる。
【０１００】
なお、（図１１では示されていないが）キャンセルボタン７９２（図８）が押下された場合には、ステップＳ２４での変更操作内容が破棄されて、編集画面７００が閉じられる。
【０１０１】
＜７．「お気に入り設定」の呼出動作等＞
次に、図１２および図１３を参照しつつ、お気に入り設定を利用した印刷設定動作について説明する。特に、呼出領域５１０の表示動作（お気に入り設定が呼び出される前の動作）等について説明する。なお、図１２は、印刷設定動作を示すフローチャートであり、図１３は、図１２の一部の動作を示すフローチャートである。
【０１０２】
プリンタドライバ等において印刷設定画面２００が呼び出されると、印刷設定画面２００内の呼出領域５１０以外の領域が表示される（ステップＳ３１）とともに印刷設定画面２００内の呼出領域（お気に入り設定に関する呼出領域）５１０が表示される（ステップＳ３２（図１３も参照））。図１３は、ステップＳ３２の詳細動作を示すフローチャートである。
【０１０３】
ステップＳ３２では、次のような動作（呼出領域５１０の表示動作等）が行われる。
【０１０４】
まず、ステップＳ５１において、コンピュータ５０（詳細にはプリンタドライバ）は、「非反映設定可能項目」（「原稿の向き」、「原稿サイズ」、「部数（印刷出力部数）」等）の現在の設定値（たとえば、「縦向き」、「Ａ４」、「１部」等）を取得する。
【０１０５】
さらに、ステップＳ５１において、プリンタドライバは、複数のお気に入り設定の設定の中から、呼出領域５１０（図４等参照）に表示すべき所定数（Ｎ個）のお気に入り設定を決定する。たとえば、登録順（あるいはその逆順等）で最初のＮ個が、呼出領域５１０に表示すべき「お気に入り設定」として決定される。また、後述するように、ユーザは、複数のお気に入り設定の中から選択される所定数のお気に入り設定を、呼出領域５１０に対するスクロール操作に応じて変更することが可能である。ステップＳ３３（図１２）にて呼出領域５１０に対するスクロール操作が行われた後にステップＳ３２（Ｓ５１）に戻った場合には、当該ステップＳ３２（Ｓ５１）にて、プリンタドライバは、当該所定数のお気に入り設定を再決定する。
【０１０６】
なお、次述する第ｉのお気に入り設定に関する表示処理（ステップＳ５２〜Ｓ６０）は、登録済みの複数（たとえば６個）のお気に入り設定のうち最大で所定数Ｎ（ここでは４つ）のお気に入り設定についてのみ行われる。したがって、所定数のお気に入り設定に対応する所定数のアイコン以外の無用な処理を回避し、効率的な処理を実現することが可能である。換言すれば、当該複数のお気に入り設定のうち所定数のお気に入り設定に対応する所定数のアイコンについてのみ変更の是非が決定され、複数のお気に入り設定のうち呼出領域５１０に表示されていないお気に入り設定に対するアイコンに関する変更の是非は決定されないので、効率的な処理を実現することが可能である。
【０１０７】
次のステップＳ５２〜Ｓ６０では、呼出領域５１０における第ｉのお気に入り設定に関する表示処理が実行される。
【０１０８】
ステップＳ５２において、プリンタドライバは、呼出領域５１０に表示される所定数Ｎ（たとえば、Ｎ＝４）のお気に入り設定のうちの第ｉ（ただし、ｉ＝１，２，... ，Ｎ）の「お気に入り設定」に着目し、当該第ｉ（ただし、ｉ＝１，２，... ，Ｎ）の「お気に入り設定」の情報をデータテーブル８００（図９）から抽出する（ステップＳ５２）。
【０１０９】
ステップＳ５３〜Ｓ５７では、第ｉのお気に入り設定に関するアイコン（第ｉのお気に入り設定による印刷設定の内容（詳細にはその一部）を示すアイコン）が生成され、生成されたアイコンがステップＳ５８で表示される。
【０１１０】
ステップＳ５３〜Ｓ５８では、基本的には、第ｉのお気に入り設定の登録時に生成されたアイコンがそのまま利用される。ただし、「非反映項目」が存在する場合には、当該非反映項目の現在の設定値にも基づくアイコン（新たなアイコン）が生成される。すなわち、「非反映項目」の現設定値を反映したアイコンが生成される。逆に、「反映項目」の現設定値はアイコンには反映されない。
【０１１１】
たとえば、「非反映項目」が存在しない場合には、第ｉのお気に入り設定の登録時に生成されたアイコンがそのまま利用される。非反映項目が存在する場合には、第ｉのお気に入り設定の登録時に生成されたアイコンに対して、非反映項目の現設定値（ステップＳ５１で取得された値）に基づく変更（修正）が必要に応じて施されて、修正後のアイコン（新たなアイコン）が生成される。
【０１１２】
なお、ここでは、「非反映項目」のうち、アイコンに影響させるべき特定項目（「原稿の向き」等）が存在する場合にのみ、当該特定項目の現設定値にも基づくアイコン（新たなアイコン）が生成されるものとする。「非反映項目」のうち、特定項目以外の項目（「原稿のサイズ」等）の現設定値は、アイコンに影響を与えないものとする。
【０１１３】
具体的には、まずステップＳ５３において、プリンタドライバは、Ｍ（たとえば、Ｍ＝３）個の「非反映設定可能項目」のうち第ｊ（ただし、ｊ＝１，２，... ，Ｍ）の「非反映設定可能項目」（「原稿の向き」等）が「非反映項目」と「反映項目」とのいずれに設定されているかを確認する（ステップＳ５３）。詳細には、第ｊの「非反映設定可能項目（呼出切換可能項目）」の「呼出設定値」が「オフ」と「オン」とのいずれに設定されているか、が確認される。
【０１１４】
次のステップＳ５４では、第ｉのお気に入り設定の第ｊの「呼出切換可能項目」の呼出設定値が「オン」であるか否かが判定される。端的に言えば、第ｊの「呼出切換可能項目」が「反映項目」であるか否かが判定される。そして、その判定結果に応じた分岐処理が行われる。
【０１１５】
第ｊの呼出切換可能項目が「反映項目」である場合、ステップＳ５５に進む。たとえば、第ｊの呼出切換可能項目「原稿の向き」の呼出設定値が「オン」であると判定される場合には、当該第ｊの呼出切換可能項目」が「反映項目」であると判定され、ステップＳ５５に進む。ステップＳ５５では、アイコンの変更処理は行われない。反映項目に関しては一のお気に入り設定の登録時の設定値が反映された状態のままのアイコンが表示される。たとえば、図１５および図１７（後述）に示されるように、「Ｎｏ．５」のお気に入り設定の登録時のアイコン５３５が呼出領域５１０内の表示領域Ｒ３にそのまま表示される。「Ｎｏ．５」のお気に入り設定の「原稿の向き」は「反映項目」（呼出設定＝オン）に設定されており（図９参照）、「Ｎｏ．５」のお気に入り設定に関するアイコン５３３は、お気に入り設定の登録時の設定項目「原稿の向き」の設定値「横向き」に対応するアイコンである。
【０１１６】
一方、第ｊの「呼出切換可能項目」が「非反映項目」である場合、ステップＳ５６に進む。たとえば、第ｊの呼出切換可能項目「原稿の向き」の呼出設定値が「オフ」であると判定される場合には、第ｊの呼出切換可能項目「原稿の向き」が「非反映項目」であると判定され、ステップＳ５６に進む。
【０１１７】
ステップＳ５６では、第ｊの呼出切換可能項目が、アイコンに影響させるべき特定項目であるか否か、が判定される。ここでは、複数の呼出切換可能項目のうちアイコンに影響させるべき特定項目（「原稿の向き」等）が予め定められており、第ｊの呼出切換可能項目が特定項目に該当するか否かが判定される。そして、第ｊの呼出切換可能項目が特定項目に該当しない場合には、ステップＳ５５に進み、当該項目に基づくアイコンの変更は行われない。一方、第ｊの呼出切換可能項目が当該特定項目に該当する場合には、ステップＳ５７に進む。
【０１１８】
ステップＳ５７では、第ｉのお気に入り設定の第ｊの「呼出切換可能項目」（＝非反映項目（且つ特定項目））の現在の設定値がアイコンに反映される。たとえば、図１７（後述）に示されるように、「Ｎｏ．４」のお気に入り設定の登録時のアイコン５３４とは異なるアイコン５３４ｂ）が呼出領域５１０内の表示領域Ｒ２に表示される。「Ｎｏ．４」のお気に入り設定の「原稿の向き」は「非反映項目」（呼出設定＝オフ）に設定されている（図９参照）。また、アイコン５３４（図１５）は、「Ｎｏ．４」のお気に入り設定の登録時の設定項目「原稿の向き」の設定値「縦向き」に対応するアイコン（図１９参照）であり、アイコン５３４ｂ（図１７）は、当該設定項目（非反映項目）「原稿の向き」の現在の設定値「横向き」に対応するアイコン（図２０参照）である。
【０１１９】
次のステップＳ５８では、全ての「呼出切換可能項目」について処理（ステップＳ５３〜Ｓ５７）が終了したか否かが判定される。未完了の「呼出切換可能項目」が残存している場合には、値ｊがインクリメントされてステップＳ５３に戻り、ステップＳ５３〜Ｓ５７の処理が再び実行される。一方、全ての「呼出切換可能項目」について処理した旨が判定される場合には、ステップＳ５８からステップＳ５９に進む。
【０１２０】
このようにして、第ｉのお気に入り設定の全ての「呼出切換可能項目」のうちその呼出設定値が「オフ」の項目（非反映項目）についてのみ（当該非反映項目の）現在の設定値を反映したアイコンが生成される。端的に言えば、第ｉのお気に入り設定の登録時のアイコンをベースに、非反映項目の現在の設定値に応じた内容に変更されたアイコンが生成される。
【０１２１】
ステップＳ５９では、ステップＳ５３〜Ｓ５８で生成されたアイコンが、呼出領域５１０内の第ｉの表示領域Ｒｉに表示される（ステップＳ５９）。
【０１２２】
ステップＳ５９の後、ステップＳ６０において、第ｉのお気に入り設定の「名称」と「コメント」とが呼出領域５１０内の第ｉの呼出欄Ｒｉに表示される。
【０１２３】
ステップＳ６１では、所定数Ｎのお気に入り設定の全てについて表示処理が完了したか否かが判定される。その表示処理が未完了のお気に入り設定が存在する場合（ｉ＜Ｎ、の場合）には、値ｉがインクリメントされてステップＳ５２に戻り、ステップＳ５２〜Ｓ６０の動作が再び実行される。
【０１２４】
このような動作によれば、たとえば、図４のような印刷設定画面２００が表示される。当該印刷設定画面２００においては、各設定項目の設定値はデフォルト値を有している。たとえば、設定項目「原稿の向き」は設定値「縦」に設定されている。また、この時点では、印刷設定画面２００の呼出領域５１０（図５の拡大図も参照）においては、「Ｎｏ．１」〜「Ｎｏ．４」のお気に入り設定が表示されている。当該呼出領域５１０においては、これら４つのお気に入り設定にそれぞれ対応する各アイコン５３１〜５３４も表示されている。各お気に入り設定には複数の非反映項目がそれぞれ存在するものの、当該各お気に入り設定の複数の非反映項目の設定値は、いずれも各お気に入り設定の登録時の設定値と同じである。その結果、各お気に入り設定の登録時のアイコンと同じアイコン５３１〜５３４が表示されている。なお、図５は、図４の呼出領域５１０を拡大して示す図である。
【０１２５】
詳細には、図４においては、呼出領域５１０の呼出欄Ｒ１に、「Ｎｏ．１」のお気に入り設定に関する情報（アイコン５３１、名称「小冊子Ａ４」、コメント「小冊子，Ａ４，中綴じ」）が表示されている。「Ｎｏ．１」のお気に入り設定に関するアイコン５３１（図５も参照）は、設定操作領域３００での設定項目（非反映項目）「原稿の向き」の現在の設定値（現設定値）「縦」を反映した状態（形態）を有している。当該アイコン５３１には、「呼出切換可能項目」（「非反映設定可能項目」）以外の項目のうちの一部の項目（「印刷種別」、「カラー選択」等）の設定値（「小冊子」、「グレースケール」等）も反映されている。
【０１２６】
また、呼出領域５１０の呼出欄Ｒ２には、「Ｎｏ．２」のお気に入り設定に関する情報（アイコン５３２、名称「用紙節約」、コメント「両面，２ｉｎ１，オートカラー」）が表示されている。さらに、呼出領域５１０の呼出欄Ｒ３には、「Ｎｏ．３」のお気に入り設定に関する情報（アイコン５３３、名称「エコ印刷」、コメント「両面、２ｉｎ１，...」）が表示されている。また、呼出領域５１０の呼出欄Ｒ４には、「Ｎｏ．４」のお気に入り設定に関する情報（アイコン５３４、名称「Confidential」、コメント「ウォーターマーク...」）が表示されている。アイコン５３２〜５３４も、非反映項目「原稿の向き」の現設定値「縦」を反映した状態（形態）を有している。
【０１２７】
さて、その後、ユーザは、呼出領域５１０内にてスクロール操作を行うことによって、呼出領域５１０（詳細には呼出欄Ｒ１〜Ｒ４）に表示される４つのお気に入り設定（呼出領域５１０での表示対象の所定数のお気に入り設定として選択される４つのお気に入り設定）を変更することが可能である。
【０１２８】
また、ユーザは、印刷設定画面２００内の設定操作領域３００にて、設定変更操作を行うことによって、各設定項目に関する現在の設定値を変更することが可能である。
【０１２９】
ステップＳ３３，Ｓ３４ではこのような変更操作の有無等が検出される。そして、変更操作が行われた旨が検出されると、ステップＳ３２に戻って、呼出領域５１０の表示動作（更新動作）が実行される。
【０１３０】
具体的には、ステップＳ３３では、呼出領域５１０での表示対象として選択される所定数のお気に入り設定がスクロール操作に応じて変更されたか否かが判定される。肯定的な判定結果（変更された旨の判定結果）が得られる場合、ステップＳ３２に戻って、呼出領域５１０の表示動作（更新動作）が実行される。一方、否定的な判定結果（変更されていない旨の判定結果）が得られる場合、ステップＳ３４に進む。
【０１３１】
ステップＳ３４では、設定操作領域３００での設定変更操作によって、いずれかの設定項目（詳細には、いずれかの呼出切換可能項目）に関する現在の設定値が変更されたか否かが判定される。肯定的な判定結果（変更された旨の判定結果）が得られる場合、ステップＳ３２に戻って、呼出領域５１０の表示動作（更新動作）が実行される。一方、否定的な判定結果（変更されていない旨の判定結果）が得られる場合、ステップＳ３５に進む。
【０１３２】
また、ユーザは、印刷設定画面２００内の呼出領域５１０にて、所定数のお気に入り設定の中から所望のお気に入り設定を選択する選択操作（所望の呼出欄Ｒｉをクリックする操作等）を行うことによって、所望のお気に入り設定を呼び出すことが可能である。
【０１３３】
ステップＳ３５では、所望のお気に入り設定の選択操作の有無が判定される。当該選択操作が行われた旨が検出された場合にのみ、ステップＳ３６に進む。それ以外の場合には、ステップＳ３６を経ずにステップＳ３７に進む。
【０１３４】
ステップＳ３６では、選択されたお気に入り設定の設定内容に応じて、印刷設定に関する複数の設定項目の設定値が適宜変更される。換言すれば、呼出領域５１０における一のお気に入り設定の呼出操作に応じて、当該一のお気に入り設定に関する設定内容が現在の印刷設定に反映される。
【０１３５】
具体的には、「非反映設定可能項目」（「呼出切換可能項目」）以外の項目に関しては、お気に入り設定登録時の設定値が新たな現在の設定値（現設定値）として呼び出されて設定（上書き）される。また、反映項目に関しても、当該お気に入り設定の登録時の設定値が新たな現在の設定値として呼び出されて設定（上書き）される。一方、非反映項目に関しては、当該お気に入り設定の登録時の設定値は呼び出されず、現在の設定値は更新されない（そのまま維持される）。
【０１３６】
ステップＳ３６の処理が終了すると、ステップＳ３７に進む。
【０１３７】
ステップＳ３７においては、印刷設定画面２００のＯＫボタン２９１（あるいはキャンセルボタン２９２）が押下されたか否かが判定される。否定的な判定結果（押下されていない旨の判定結果）が得られる場合、ステップＳ３３に戻る。一方、肯定的な判定結果（押下された旨の判定結果）が得られる場合、ステップＳ３８に進む。
【０１３８】
次にステップＳ３８において、印刷設定画面２００が閉じられる。ＯＫボタン２９１の押下に応じて印刷設定画面２００が閉じられた場合には、印刷設定画面２００での設定内容が維持される。その後に、印刷開始指示が付与された場合には、当該設定内容に基づく印刷指令等が付与される。一方、キャンセルボタン２９２の押下に応じて印刷設定画面２００が閉じられた場合には、印刷設定画面２００での設定変更内容が破棄される。
【０１３９】
本実施形態に係るコンピュータ５０においては、以上のような動作が行われる。
【０１４０】
以下、より具体的な画面遷移例について説明する。
【０１４１】
たとえば、ユーザは、図４の印刷設定画面２００がまず表示部５６ｂに表示された状態において、印刷設定画面２００内の呼出領域５１０に対するスクロール操作によって、呼出領域５１０での表示対象として選択される４つのお気に入り設定を、「Ｎｏ．１」〜「Ｎｏ．４」のお気に入り設定から、「Ｎｏ．３」〜「Ｎｏ．６」のお気に入り設定へと変更することができる。この場合、上述のような動作によって、図４の印刷設定画面２００（呼出領域５１０を含む）に代えて、図１５の印刷設定画面２００（呼出領域５１０を含む）が表示される（図１６も参照）。なお、図１６は、図１５の印刷設定画面２００内の呼出領域５１０を拡大して示す図である。
【０１４２】
このように、当該複数のお気に入り設定のうち所定数のお気に入り設定として選択されるお気に入り設定は、スクロール操作に応じて変更される。この際、当該スクロール操作に応じて呼出領域５１０に表示された所定数のお気に入り設定についてのみ、アイコンの変更表示処理が実行され、当該所定数のお気に入り設定以外のお気に入り設定（呼出領域５１０に表示されていないお気に入り設定）についてはアイコンの変更表示処理は実行されない。したがって、効率的な処理を実現することが可能である。
【０１４３】
図１５においては、呼出領域５１０の呼出欄Ｒ１に、「Ｎｏ．３」のお気に入り設定に関する情報（アイコン５３３、名称「エコ印刷」、コメント「両面、２ｉｎ１，...」）が表示されている。「Ｎｏ．３」のお気に入り設定に関するアイコン５３３（図１６も参照）は、設定操作領域３００での設定項目（非反映項目）「原稿の向き」の現在の設定値（現設定値）「縦」を反映した状態（形態）を有している。当該アイコン５３３には、「呼出切換可能項目」（「非反映設定可能項目」）以外の項目のうちの一部の項目の設定値（「両面」、「２ｉｎ１」、「グレースケール」）も反映されている。また、呼出領域５１０の呼出欄Ｒ２に、「Ｎｏ．４」のお気に入り設定に関する情報（アイコン５３４、名称「Confidential」、コメント「ウォーターマーク...」）が表示されている。さらに、呼出領域５１０の呼出欄Ｒ４に、「Ｎｏ．６」のお気に入り設定に関する情報（アイコン５３６、名称「User setting2」、コメント「Comment2」）が表示されている。アイコン５３４，５３６も、非反映項目「原稿の向き」の現設定値「縦」を反映した状態（形態）を有している。
【０１４４】
また、呼出欄Ｒ３には、「Ｎｏ．５」のお気に入り設定に関する情報（アイコン５３５、名称「User setting1」、コメント「Comment1」）が表示されている。「Ｎｏ．５」のお気に入り設定に関するアイコン５３５は、設定操作領域３００での設定項目（「反映項目」）「原稿の向き」のお気に入り設定登録時の設定値「横」を反映した状態（形態）を有している。当該アイコン５３５には、反映項目「原稿の向き」の現設定値「縦」は反映されていない。当該アイコン５３５には、「呼出切換可能項目」以外の項目のうちの一部の項目の設定値（「片面」、「オートカラー」等）も反映されている。
【０１４５】
その後、ユーザが、設定操作領域３００にて設定項目「原稿の向き」を変更対象項目とする変更操作（詳細には、設定値を「縦」から「横」に変更する変更操作）を行うと、図１５の印刷設定画面２００に代えて、図１７の印刷設定画面２００が表示される（図１８も参照）。なお、図１８は、図１７の印刷設定画面２００内の呼出領域５１０を拡大して示す図である。
【０１４６】
図１７においては、呼出領域５１０の呼出欄Ｒ１に、「Ｎｏ．３」のお気に入り設定に関する情報（アイコン５３３ｂ、名称「エコ印刷」、コメント「両面、２ｉｎ１，...」）が表示されている。「Ｎｏ．３」のお気に入り設定に関するアイコン５３３ｂ（図１８も参照）は、設定操作領域３００での非反映項目「原稿の向き」の現設定値「横」を反映した状態（形態）を有している。当該アイコン５３３ｂには、「呼出切換可能項目」以外の項目のうちの一部の項目の設定値（「両面」、「２ｉｎ１」、「グレースケール」）も反映されている。また、呼出領域５１０の呼出欄Ｒ２に、「Ｎｏ．４」のお気に入り設定に関する情報（アイコン５３４ｂ、名称「Confidential」、コメント「ウォーターマーク...」）が表示されている。さらに、呼出領域５１０の呼出欄Ｒ４に、「Ｎｏ．６」のお気に入り設定に関する情報（アイコン５３６ｂ、名称「User setting2」、コメント「Comment2」）が表示されている。アイコン５３４ｂ，５３６ｂも、非反映項目「原稿の向き」の現設定値「横」を反映した状態（形態）を有している。
【０１４７】
また、呼出欄Ｒ３には、「Ｎｏ．５」のお気に入り設定に関する情報（アイコン５３５、名称「User setting1」、コメント「Comment1」）が表示されている。「Ｎｏ．５」のお気に入り設定に関するアイコン５３５（図１７）は、図１５のアイコン５３５と同じ状態（形態）を有している。アイコン５３５は、特に、設定操作領域３００での設定項目（「反映項目」）「原稿の向き」のお気に入り設定登録時の設定値「横」を反映した状態（形態）を有している。
【０１４８】
上述のように、図１５の印刷設定画面２００内の呼出欄Ｒ１（図１６も参照）では「Ｎｏ．３」のお気に入り設定に対応するアイコンとして、その「原稿の向き」が「縦向き」のアイコン５３３が表示されている。これに対して、図１７の印刷設定画面２００内の呼出欄Ｒ１（図１８も参照）では「Ｎｏ．３」のお気に入り設定に対応するアイコンとして、その「原稿の向き」が「横向き」のアイコン５３３ｂが表示されている。「Ｎｏ．３」のお気に入り設定では、設定項目「原稿の向き」は非反映項目である。
【０１４９】
このように、非反映項目「原稿の向き」が変更対象項目として変更された場合、変更対象項目（「原稿の向き」）の設定値の変更（「縦」から「横」への変更等）が反映されたアイコン５３３ｂ等が表示される。具体的には、非反映項目「原稿の向き」に関する現設定値（「横」等）が反映されたアイコン５３３ｂ（あるいは５３３）がステップＳ５６（図１３参照）にて生成されて表示される。
【０１５０】
同様に、「Ｎｏ．４」のお気に入り設定に関しては、変更前のアイコン５３４（原稿の向き＝縦）に代えて変更後のアイコン５３４ｂ（原稿の向き＝横）が表示されており、「Ｎｏ．６」のお気に入り設定に関しては、変更前のアイコン５３６（原稿の向き＝縦）に代えて変更後のアイコン５３６ｂ（原稿の向き＝横）が表示されている。
【０１５１】
このように、「Ｎｏ．３」、「Ｎｏ．４」、および「Ｎｏ．６」のお気に入り設定に関しては、「縦向き」のアイコン（図１５および図１９等参照）から「横向き」のアイコン（図１７および図２０等参照）への変更が行われる。換言すれば、複数のお気に入り設定（「Ｎｏ．３」、「Ｎｏ．４」、および「Ｎｏ．６」）に対応する複数のアイコンは、それぞれ、複数の設定項目のうちの非反映項目については当該非反映項目の現設定値が反映されて表示される。
【０１５２】
一方、図１５の印刷設定画面２００内の呼出欄Ｒ３では「Ｎｏ．５」のお気に入り設定に対応するアイコンとして、「原稿の向き」が「横向き」のアイコン５３５が表示されている。また、図１７の印刷設定画面２００内の呼出欄Ｒ３でも「Ｎｏ．５」のお気に入り設定に対応するアイコンとして、「原稿の向き」が「横向き」のアイコン５３５が表示されている。ここにおいて、「Ｎｏ．５」のお気に入り設定では、設定項目「原稿の向き」は（非反映項目ではなく）「反映項目」である。
【０１５３】
反映項目「原稿の向き」が変更対象項目として変更された場合、表示対象のアイコンには、反映項目「原稿の向き」に関する設定値の変更は反映されない（ステップＳ５５（図１３）参照）。「Ｎｏ．５」のお気に入り設定に関しては、その登録時の設定値（「横」）と同じ向き（横向き）に対応するアイコン（図１７および図２０等参照）が常に表示される。換言すれば、反映項目「原稿の向き」のお気に入り設定登録時の設定値（「横」）が反映された状態のままのアイコン５３５が表示される。
【０１５４】
このように、複数の設定項目のうち「反映項目」（一のお気に入り設定の登録時の設定値を一のお気に入り設定の呼出時の現設定値に反映させる項目）が変更対象項目として変更された場合、アイコンは、反映項目に関しては当該一のお気に入り設定の登録時の設定値が反映された状態のまま表示される。反映項目に関しては、当該一のお気に入り設定の呼出時の現設定値は、アイコンに反映されない。
【０１５５】
さらに、その後、ユーザが、設定操作領域３００にて設定項目「原稿の向き」を変更対象項目とする変更操作（今度は、逆に、設定値を「横」から「縦」に変更する変更操作）を行うと、図１７の印刷設定画面２００に代えて、図１５の印刷設定画面２００が表示される。これにより、逆向きの変化が生じる。
【０１５６】
たとえば、「Ｎｏ．３」のお気に入り設定に関しては、アイコン５３３ｂからアイコン５３３への変更処理が行われる。同様に、「Ｎｏ．４」のお気に入り設定に関しては、アイコン５３４ｂからアイコン５３４への変更処理が行われ、「Ｎｏ．６」のお気に入り設定に関しては、アイコン５３６ｂからアイコン５３６への変更処理が行われる。このように、「Ｎｏ．３」、「Ｎｏ．４」、および「Ｎｏ．６」のお気に入り設定に関しては、「横向き」のアイコン（図１７および図２０等参照）から、「縦向き」のアイコン（図１５および図１９等参照）への変更が行われる。
【０１５７】
一方、「Ｎｏ．５」のお気に入り設定に関しては、「原稿の向き」の設定変更が行われても、アイコンの変更処理は行われない。換言すれば、反映項目「原稿の向き」が変更対象項目として変更された場合、表示対象のアイコンには、反映項目「原稿の向き」に関する変更は反映されない。「Ｎｏ．５」のお気に入り設定に関しては、その登録時の設定値（「横」）と同じ向き（横向き）に対応するアイコン（図１７および図２０等参照）が常に表示される。
【０１５８】
＜８．実施形態の効果等＞
以上のように、複数の設定項目のうち、「非反映項目」（非上書き項目）が変更対象項目として変更された場合、当該変更対象項目の設定値の変更が反映されたアイコンが表示される。たとえば、「Ｎｏ．３」、「Ｎｏ．４」、および「Ｎｏ．６」のお気に入り設定に関しては、「縦向き」のアイコン（図１５および図１９等参照）から「横向き」のアイコン（図１７および図２０等参照）への変更、あるいはその逆向きの変更が行われる。したがって、お気に入り設定に関するアイコンの表示状態を、設定変更操作に応じて適切に変更することが可能である。より詳細には、お気に入り設定に関するアイコンの表示状態を、実際の印刷出力状態（「横向き」）に応じて適切に変更することが可能である。
【０１５９】
また、複数の設定項目のうち、「反映項目」（上書き項目）が変更対象項目として変更された場合、当該変更対象項目の設定値の変更はアイコンには反映されない。たとえば、「Ｎｏ．５」のお気に入り設定に関しては、その登録時の設定値（「横」向き）が反映された状態のままの横向きのアイコン（図１７および図２０等参照）が表示される。これによれば、ユーザは、当該アイコンを視認することによって印刷出力状態を正確且つ容易に把握することが可能である。
【０１６０】
ここにおいて、全ての設定項目（反映項目を含む）についてその設定値の変更（「横向き」から「縦向き」への変更等）に従って常にアイコンを変更してもよい。ただし、反映項目の設定値の変更に従ってアイコンを変更する場合には、次述するように、アイコンによる表示状態と実際の印刷出力状態との間で不一致が生じてしまう。
【０１６１】
たとえば、設定項目「原稿の向き」が設定値「横向き」に設定された状態でお気に入り設定が行われ、且つ当該設定項目「原稿の向き」が反映項目に設定されている場合を想定する。この場合において、印刷設定画面において設定項目「原稿の向き」が設定値「横向き」に設定されているときには、図２０のアイコンが表示される。その後、印刷設定画面において設定項目「原稿の向き」が設定値「横向き」から設定値「縦向き」に変更されたときに仮に一律に図１９のアイコンに変更すると、次のような問題が生じる。
【０１６２】
具体的には、設定項目「原稿の向き」が反映項目に設定されている場合、印刷出力にはお気に入りの登録時の設定値（「横向き」）が常に利用され現在の設定値（「縦向き」）は利用されない。したがって、実際の印刷出力は、図２０の状態を有している。これにもかかわらず、仮に一律に図１９のアイコンが表示されると、アイコンによる表示状態（図１９）と実際の印刷出力状態（図２０参照）との間で不一致が生じてしまう。このような不一致は、好ましくない。
【０１６３】
これに対して、本実施形態においては、変更操作の対象項目が「非反映項目」であるか否かをも考慮してアイコンの変更の有無が決定されるので、アイコンによる表示状態と実際の印刷出力状態との間で不一致を回避することが可能である。
【０１６４】
より具体的には、設定値「横向き」から設定値「縦向き」への変更操作の対象項目「原稿の向き」が「反映項目」であるときには、当該変更操作が行われている場合であっても呼出領域５１０内のアイコンは変更されない。具体的には、「縦向き」のアイコンには変更されず、「横向き」のアイコン（図２０参照）のままである。したがって、アイコンによる表示状態と実際の印刷出力状態との両状態が整合し、当該両状態の相互間の不一致が生じない。これによれば、ユーザは、当該アイコンを視認することによって印刷出力状態を正確且つ容易に把握することが可能である。
【０１６５】
なお、上記実施形態等においては、お気に入り設定に関するアイコンには、一の非反映項目「原稿の向き」の設定値は反映されているものの、他の非反映項目「原稿のサイズ」の設定値は反映されていない（常に同じサイズのアイコンが表示されている）。このように、お気に入り設定に関するアイコンには、全ての非反映項目の設定値が反映されることを要さず、全ての非反映項目のうちの一部の非反映項目（「原稿の向き」等の特定項目）の設定値のみが反映されてもよい（残余の非反映項目（「原稿のサイズ」等）の設定値が反映されない状態でアイコンが表示されてもよい）。
【０１６６】
＜９．変形例等＞
以上、この発明の実施の形態について説明したが、この発明は上記説明した内容のものに限定されるものではない。
【０１６７】
たとえば、上記実施形態においては、設定項目「原稿の向き」等が非反映項目として設定される場合について主に例示しているが、これに限定されず、図８に示されるような他の設定項目（「原稿のサイズ」および／または「部数」等）が非反映項目として設定されてもよい。また、更に別の設定項目（「パンチ」および／または「ステープル」等）が非反映項目として設定されてもよい。また、その場合、図２１〜図２４等に示すアイコンが用いられればよい。
【０１６８】
より詳細には、「部数」の変更に応じて、アイコンの左下側に設けられた数値が変更されるようにしてもよい。詳細には、「１部」から「５部」への部数変更に応じて、「１部」の文字列を左下側に有するアイコン（変更前のアイコン）（図２１の左側参照）から、「５部」の文字列を左下側に有するアイコン（変更後のアイコン）（図２１の左側参照）へと変更されるようにしてもよい。
【０１６９】
あるいは、「原稿のサイズ」の変更に応じて、アイコンのサイズが変更されるようにしてもよい。詳細には、「Ａ４」から「Ａ３」への部数変更に応じて、基本サイズを有するアイコン（変更前のアイコン）（図２２の中央参照）から、２倍の面積（２の平方根（ルート２）倍の長さ）を有するアイコン（変更後のアイコン）（図２２の左側参照）へと変更されるようにしてもよい。また、「Ａ４」から「Ａ５」への部数変更に応じて、基本サイズを有するアイコン（変更前のアイコン）（図２２の中央参照）から、半分の面積（２の平方根の逆数倍の長さ）を有するアイコン（変更後のアイコン）（図２２の右側参照）へと変更されるようにしてもよい。
【０１７０】
あるいは、「パンチ」の変更に応じて、アイコンの一部分が変更されるようにしてもよい。詳細には、「オフ」から「左（２孔）」への部数変更に応じて、パンチ孔を模した部分を有しないアイコン（変更前のアイコン）（図２３の左側参照）から、パンチ孔（２個のパンチ孔）を模した部分を左端側に有するアイコン（変更後のアイコン）（図２３の右側参照）へと変更されるようにしてもよい。
【０１７１】
あるいは、「ステープル」の変更に応じて、アイコンの一部分が変更されるようにしてもよい。詳細には、「オフ」から「左コーナー（１箇所）」への部数変更に応じて、ステープル針を模した部分を有しないアイコン（変更前のアイコン）（図２４の左側参照）から、１本のステープル針を模した部分を左上コーナーに有するアイコン（変更後のアイコン）（図２４の右側参照）へと変更されるようにしてもよい。
【０１７２】
また、上記実施形態等では、「反映項目」の設定値のみならず「非反映項目」の設定値もデータテーブル８００内に一旦格納されているが、これに限定されず、「非反映項目」の設定値はデータテーブル８００に格納されないようにしてもよい。
【０１７３】
また、上記実施形態等では、呼出領域５１０が印刷設定画面２００内に設けられているが、これに限定されず、呼出領域５１０は印刷設定画面２００とは異なる画面（所定の操作に応じて印刷設定画面２００に対してポップアップ表示される画面等）に設けられてもよい。
【０１７４】
また、上記実施形態等においては、お気に入り設定に関するアイコンがプリンタドライバの表示画面にて表示される場合について主に例示したが、これに限定されない。たとえば、ＭＦＰ１０のタッチパネル２５にて表示される設定画面等においてお気に入り設定に関するアイコンが表示される場合に、本発明が適用されてもよい。具体的には、上記のコンピュータ５０で行われる各種動作（表示制御動作等）と同等の動作が、ＭＦＰ１０（詳細には、ＭＦＰ１０に内蔵されたコンピュータ（コントローラ９）等）にて実行されればよい。なお、この場合、ＭＦＰ１０は、印刷装置として動作するとともに、印刷制御装置（印刷指示装置）としても動作する。
【符号の説明】
【０１７５】
１  印刷システム
１０  ＭＦＰ
５０  コンピュータ
２００  印刷設定画面
３００  設定操作領域
３１１〜３２２  設定欄
４００  用紙ビュー領域
５００  お気に入り領域
５１０  呼出領域
５３１〜５３６，５３３ｂ，５３４ｂ，５３６ｂ  アイコン
７００  編集画面
７３１〜７３３  スライドスイッチ
Ｒｉ  呼出欄
【図１】
0006988571.tif 000002
【図２】
0006988571.tif 000003
【図３】
0006988571.tif 000004
【図４】
0006988571.tif 000005
【図５】
0006988571.tif 000006
【図６】
0006988571.tif 000007
【図７】
0006988571.tif 000008
【図８】
0006988571.tif 000009
【図９】
0006988571.tif 000010
【図１０】
0006988571.tif 000011
【図１１】
0006988571.tif 000012
【図１２】
0006988571.tif 000013
【図１３】
0006988571.tif 000014
【図１４】
0006988571.tif 000015
【図１５】
0006988571.tif 000016
【図１６】
0006988571.tif 000017
【図１７】
0006988571.tif 000018
【図１８】
0006988571.tif 000019
【図１９】
0006988571.tif 000020
【図２０】
0006988571.tif 000021
【図２１】
0006988571.tif 000022
【図２２】
0006988571.tif 000023
【図２３】
0006988571.tif 000024
【図２４】
0006988571.tif 000025